(57)【要約】【課題】取引先毎に設定された基準与信限度額を大きく外すことなく、かつ受注機会を逃すことなく、売掛金の安全を確保できる。【解決手段】各商品を販売する複数の担当者１９を複数の権限グループ１８にグループ分けし、各グループに与信限度裁量額ΔＷを設定する。また、商品の受注時のみならず出荷時にも与信チェックを実施する。各与信チェックにおいては、取引先の基準与信限度額ＷSに担当者１９が所属する権限グループ１８の与信限度裁量額ΔＷを加算した与信限度額Ｗ（＝ＷS＋ΔＷ）を採用している。そして、この与信限度額Ｗが、商品の金額Ｘ（Ｘ1又はＸ2）にこの時点における当該取引先の売掛残高Ｕと受注残高Ｖとを加算した金額（Ｘ＋Ｕ＋Ｖ）を超えるとき、受注又は出荷を許可している。【選択図】      図１
2007164361.tif 000002
【特許請求の範囲】
【請求項１】
取引先から各商品を順次受注し、各商品に定められた納期の経過後に各商品を取引先へ順次出荷するとともに、前記取引先から順不同に入力される各入金額を前記各商品に対する代金に順次充当する与信販売システムにおいて、
前記各商品を販売する複数の担当者を複数の権限グループにグループ分けし、前記取引先に対する基準与信限度額における各権限グループに与えられた与信限度裁量額を記憶する与信権限テーブルと、
前記取引先からの各商品の受注要請時に、前記取引先の基準与信限度額を、前記与信権限テーブルから読出したこの受注を扱う担当者の権限グループの与信限度裁量額で補正して当該受注に対する与信限度額を算出する受注時与信限度額算出手段と、
この算出された与信限度額が、前記受注商品の金額にこの時点における当該取引先の売掛残高と受注残高とを加算した金額を超えるとき、前記要請された商品を受注する受注時与信チェック手段と、
前記取引先から受注した各商品の出荷要請時に、前記取引先の基準与信限度額が、前記出荷商品の金額にこの時点における当該取引先の売掛残高と受注残高を加算した金額を超えるとき、前記要請された商品を出荷する出荷時与信チェック手段と
を備えたことを特徴とする与信販売システム。
【請求項２】
取引先から各商品を順次受注し、各商品に定められた納期の経過後に各商品を取引先へ順次出荷するとともに、前記取引先から順不同に入力される各入金額を前記各商品に対する代金に順次充当する与信販売システムにおいて、
前記各商品を販売する複数の担当者を複数の権限グループにグループ分けし、前記取引先に対する基準与信限度額における各権限グループに与えられた与信限度裁量額を記憶する与信権限テーブルと、
前記取引先からの各商品の受注要請時に、前記取引先の基準与信限度額を、前記与信権限テーブルから読出したこの受注を扱う担当者の権限グループの与信限度裁量額で補正して当該受注に対する与信限度額を算出する受注時与信限度額算出手段と、
この算出された与信限度額が、前記受注商品の金額にこの時点における当該取引先の売掛残高と受注残高とを加算した金額を超えるとき、前記要請された商品を受注する受注時与信チェック手段と、
前記取引先から受注した各商品の出荷要請時に、前記取引先の基準与信限度額を、前記与信権限テーブルから読出したこの出荷を扱う担当者の権限グループの与信限度裁量額で補正して、当該出荷に対する与信限度額を算出する出荷時与信限度額算出手段と、
この算出された与信限度額が、前記出荷商品の金額にこの時点における当該取引先の売掛残高と受注残高を加算した金額を超えるとき、前記要請された商品を出荷する出荷時与信チェック手段と
を備えたことを特徴とする与信販売システム。
【請求項３】
前記受注時与信チェック手段は、算出された与信限度額が、前記受注商品の金額にこの時点における当該取引先の売掛残高と受注残高とを加算した金額未満の場合においても、該当商品の出荷時までに該当取引先の入金予定がある場合、操作入力された許可指示に応じて前記要請された商品を受注することを特徴とする請求項１又は２記載の与信販売システム。
【請求項４】
前記出荷時与信チェック手段は、算出された与信限度額が、前記出荷商品の金額にこの時点における当該取引先の売掛残高と受注残高とを加算した金額未満の場合においても、該当商品に対する入金予定がある場合、操作入力された許可指示に応じて前記要請された商品を出荷することを特徴とする請求項１又は２記載の与信販売システム。
【請求項５】
取引先から各商品を順次受注し、各商品に定められた納期の経過後に各商品を取引先へ順次出荷するとともに、前記取引先から順不同に入力される各入金額を前記各商品に対する代金に順次充当する与信販売方法において、
前記各商品を販売する複数の担当者を複数の権限グループにグループ分けし、前記取引先に対する基準与信限度額における各権限グループに与えられた与信限度裁量額を与信権限テーブルに設定する設定工程と、
前記取引先からの各商品の受注要請時に、前記取引先の基準与信限度額を、前記与信権限テーブルから読出したこの受注を扱う担当者の権限グループの与信限度裁量額で補正して当該受注に対する与信限度額を算出する算出工程と、
この算出された与信限度額が、前記受注商品の金額にこの時点における当該取引先の売掛残高と受注残高とを加算した金額を超えるとき、前記要請された商品を受注する受注時与信チェック工程と、
前記取引先から受注した各商品の出荷要請時に、前記取引先の基準与信限度額が、前記出荷商品の金額にこの時点における当該取引先の売掛残高と受注残高を加算した金額を超えるとき、前記要請された商品を出荷する出荷時与信チェック工程と
を備えたことを特徴とする与信販売方法。
【請求項６】
取引先から各商品を順次受注し、各商品に定められた納期の経過後に各商品を取引先へ順次出荷するとともに、前記取引先から順不同に入力される各入金額を前記各商品に対する代金に順次充当する与信販売方法において、
前記各商品を販売する複数の担当者を複数の権限グループにグループ分けし、前記取引先に対する基準与信限度額における各権限グループに与えられた与信限度裁量額を与信権限テーブルに設定する設定工程と、
前記取引先からの各商品の受注要請時に、前記取引先の基準与信限度額を、前記与信権限テーブルから読出したこの受注を扱う担当者の権限グループの与信限度裁量額で補正して当該受注に対する与信限度額を算出する算出工程と、
この算出された与信限度額が、前記受注商品の金額にこの時点における当該取引先の売掛残高と受注残高とを加算した金額を超えるとき、前記要請された商品を受注する受注時与信チェック工程と、
前記取引先から受注した各商品の出荷要請時に、前記取引先の基準与信限度額を、前記与信権限テーブルから読出したこの出荷を扱う担当者の権限グループの与信限度裁量額で補正して、当該出荷に対する与信限度額を算出する算出工程と、
この算出された与信限度額が、前記出荷商品の金額にこの時点における当該取引先の売掛残高と受注残高を加算した金額を超えるとき、前記要請された商品を出荷する出荷時与信チェック工程と
を備えたことを特徴とする与信販売方法。
【請求項７】
前記受注時与信チェック工程は、算出された与信限度額が、前記受注商品の金額にこの時点における当該取引先の売掛残高と受注残高とを加算した金額超過の場合においても、該当商品の出荷時までに該当取引先の入金予定がある場合、操作入力された許可指示に応じて前記要請された商品を受注することを特徴とする請求項５又は６記載の与信販売方法。
【請求項８】
取引先から各商品を順次受注し、各商品に定められた納期の経過後に各商品を取引先へ順次出荷するとともに、前記取引先から順不同に入力される各入金額を前記各商品に対する代金に順次充当するコンピュータに、
前記各商品を販売する複数の担当者を複数の権限グループにグループ分けし、前記取引先に対する基準与信限度額における各権限グループに与えられた与信限度裁量額を与信権限テーブルに設定する設定手順、
前記取引先からの各商品の受注要請時に、前記取引先の基準与信限度額を、前記与信権限テーブルから読出したこの受注を扱う担当者の権限グループの与信限度裁量額で補正して当該受注に対する与信限度額を算出する算出手順、
この算出された与信限度額が、前記受注商品の金額にこの時点における当該取引先の売掛残高と受注残高とを加算した金額を超えるとき、前記要請された商品を受注する受注時与信チェック手順、
前記取引先から受注した各商品の出荷要請時に、前記取引先の基準与信限度額が、前記出荷商品の金額にこの時点における当該取引先の売掛残高と受注残高を加算した金額を超えるとき、前記要請された商品を出荷する出荷時与信チェック手順
を実行させるための与信販売プログラム。
【請求項９】
取引先から各商品を順次受注し、各商品に定められた納期の経過後に各商品を取引先へ順次出荷するとともに、前記取引先から順不同に入力される各入金額を前記各商品に対する代金に順次充当するコンピュータに、
前記各商品を販売する複数の担当者を複数の権限グループにグループ分けし、前記取引先に対する基準与信限度額における各権限グループに与えられた与信限度裁量額を与信権限テーブルに設定する設定手順、
前記取引先からの各商品の受注要請時に、前記取引先の基準与信限度額を、前記与信権限テーブルから読出したこの受注を扱う担当者の権限グループの与信限度裁量額で補正して当該受注に対する与信限度額を算出する算出手順、
この算出された与信限度額が、前記受注商品の金額にこの時点における当該取引先の売掛残高と受注残高とを加算した金額を超えるとき、前記要請された商品を受注する受注時与信チェック手順、
前記取引先から受注した各商品の出荷要請時に、前記取引先の基準与信限度額を、前記与信権限テーブルから読出したこの出荷を扱う担当者の権限グループの与信限度裁量額で補正して、当該出荷に対する与信限度額を算出する算出手順、
この算出された与信限度額が、前記出荷商品の金額にこの時点における当該取引先の売掛残高と受注残高を加算した金額を超えるとき、前記要請された商品を出荷する出荷時与信チェック手順
実行させるための与信販売プログラム。
【請求項１０】
前記受注時与信チェック手順は、算出された与信限度額が、前記受注商品の金額にこの時点における当該取引先の売掛残高と受注残高とを加算した金額未満の場合においても、該当商品の出荷時までに該当取引先の入金予定がある場合、操作入力された許可指示に応じて前記要請された商品を受注することを特徴とする請求項８又は９記載の与信販売プログラム。
【発明の詳細な説明】
【技術分野】
【０００１】
本発明は、取引先に商品を順次販売していき代金を後から回収する与信販売システム、与信販売方法、および与信販売プログラムに係わり、特に、取引先に対する与信限度額を各種の条件に応じて変更できるようにした与信販売システム、与信販売方法、および与信販売プログラムに関する。
【背景技術】
【０００２】
一般的に、企業間における商品の取引においては、販売側は商品を買手側に引渡し、後から代金を回収する掛売り（与信販売  クレジット販売）手法が採用されている。例えば、製造会社が各小売店等の取引先に商品を販売する場合、製造会社は、取引先に商品を掛売り（与信販売）しても代金の回収が不可能になる事態を予め想定して、取引先に与信限度額を設けている。この与信限度額は、各取引先の信用度、各取引先に対する取引の実績に応じて、取引先毎に設定されている。
【０００３】
そして、取引先からの商品の受注要請があると、該当取引先に対する売掛残高（引渡し済み商品における未回収の金額）が与信限度額を超えているか否かの与信チェックを行い、売掛残高が与信限度額を超えていないときのみ、取引先からの商品を受注していた。このように、与信限度額は取引先毎に予め定められた一定値である。
【０００４】
そこで、特許文献１においては、複数の取引先が企業グループを形成している場合は、企業グループ全体の売掛残高が企業グループ全体の与信限度額に対して余裕があるときに、各取引先の与信限度額を上昇可能としている。
【０００５】
また、特許文献２においては、与信限度額を超えてもよいユーザ（販売担当者）が与信限度対応マスタに登録されており、該当ユーザが関与する発注額が与信限度額を超えた場合においても出荷可能としている。
【特許文献１】特開２００２―２７９３２１号公報
【特許文献２】特開２００３―１５７３７４号公報
【発明の開示】
【発明が解決しようとする課題】
【０００６】
しかしながら、上述した各与信限度額の管理手法においては、まだ解消すべき次のような課題があった。
【０００７】
すなわち、前述したように、商品の受注時に、取引先に対する現在時点における売掛残高（引渡し済み商品における未回収の金額）が与信限度額を超えているか否かをチェックしていた。しかし、一般に、１つの取引先から１度に複数の商品の受注があったり、時期をずらして、複数回受注する場合もある。商品毎に受注してから出荷するまでの納期が異なる場合がある。
【０００８】
したがって、新規に商品を受注した時点においては、受注しているがまだ出荷していない他の商品が存在する場合もある。この商品が先行き出荷された時点で、この商品の金額（代金）が、現在時点の売掛残高に加算される。よって、たとえ、現在時点で、売掛残高が与信限度額を超えていないとしても、先に受注済みの商品を出荷した時点で売掛残高が与信限度額を超える懸念がある。この場合、出荷担当者は売掛残高が与信限度額を超えたことに気づかずに、そのまま出荷してしまう懸念がある。
【０００９】
また、取引先毎に一定の与信限度額が設定されている。したがって、全ての販売担当者は、この与信限度額に基づいて受注時の与信チェックを行っている。しかし、熟練の販売担当者や、管理職の販売担当者においては、自己の責任において、取引先毎の与信限度額を増加してもよいと考えられる。
【００１０】
本発明はこのような事情に基づいてなされたものであり、取引先毎に設定された基準与信限度額を大きく外すことなく、かつ受注機会を逃すことなく、さらに、売掛金を確実に回収することができる与信販売システム、与信販売方法、および与信販売プログラムを提供することを目的とする。
【課題を解決するための手段】
【００１１】
本発明は、取引先から各商品を順次受注し、各商品に定められた納期の経過後に各商品を取引先へ順次出荷するとともに、取引先から順不同に入力される各入金額を前記各商品に対する代金に順次充当する与信販売システムに適用される。
【００１２】
そして、上記課題を解決するために、請求項１の与信販売システムにおいては、各商品を販売する複数の担当者を複数の権限グループにグループ分けし、取引先に対する基準与信限度額における各権限グループに与えられた与信限度裁量額を記憶する与信権限テーブルと、取引先からの各商品の受注要請時に、取引先の基準与信限度額を、与信権限テーブルから読出したこの受注を扱う担当者の権限グループの与信限度裁量額で補正して当該受注に対する与信限度額を算出する受注時与信限度額算出手段と、この算出された与信限度額が、受注商品の金額にこの時点における当該取引先の売掛残高と受注残高とを加算した金額を超えるとき、要請された商品を受注する受注時与信チェック手段と、取引先から受注した各商品の出荷要請時に、取引先の基準与信限度額が、出荷商品の金額にこの時点における当該取引先の売掛残高と受注残高を加算した金額を超えるとき、要請された商品を出荷する出荷時与信チェック手段とを備えている。
【００１３】
このように構成された与信販売システムにおいては、各商品を販売する複数の担当者は複数の権限グループにグループ分けされ、権限グループ毎に、取引先に対する基準与信限度額における与信限度裁量額が定められている。したがって、例えば管理職の権限グループに所属する担当者は自己の責任において、自己が担当する取引先の与信限度額を増加して受注ができ、受注機会が増える。
【００１４】
また、与信チェックにおいて、与信限度額と、今回商品の金額と売掛残高とを加算した金額と比較するのではなく、与信限度額と、今回商品の金額と売掛残高（出荷済みで代金未回収の金額）と受注残高（受注済みで未出荷商品の金額）とを加算した金額と比較する。
【００１５】
したがって、商品の受注時点で与信限度額を超えていないと、たとえ、今回受注した商品に対する出荷より前に、先の商品を出荷した場合においても与信限度額を超えることはない。すなわち、売掛金の安全が確保される。
【００１６】
さらに、商品の受注時のみならず、商品の出荷時においても与信チェックを実施しているので、出荷担当者は売掛残高が与信限度額を大幅に超える出荷を停止できる。
【００１７】
この場合、商品の出荷時における与信限度額を、受注時の増額補正された与信限度額より低い増額補正前の基準与信限度額としているので、受注機会を減少することなく、売掛金の安全を確保できる。
【００１８】
また請求項２は、上述した与信販売システムにおいて、各商品を販売する複数の担当者を複数の権限グループにグループ分けし、取引先に対する基準与信限度額における各権限グループに与えられた与信限度裁量額を記憶する与信権限テーブルと、取引先からの各商品の受注要請時に、取引先の基準与信限度額を、与信権限テーブルから読出したこの受注を扱う担当者の権限グループの与信限度裁量額で補正して当該受注に対する与信限度額を算出する受注時与信限度額算出手段と、この算出された与信限度額が、受注商品の金額にこの時点における当該取引先の売掛残高と受注残高とを加算した金額を超えるとき、要請された商品を受注する受注時与信チェック手段と、取引先から受注した各商品の出荷要請時に、取引先の基準与信限度額を、与信権限テーブルから読出したこの出荷を扱う担当者の権限グループの与信限度裁量額で補正して、当該出荷に対する与信限度額を算出する出荷時与信限度額算出手段と、この算出された与信限度額が、出荷商品の金額にこの時点における当該取引先の売掛残高と受注残高を加算した金額を超えるとき、要請された商品を出荷する出荷時与信チェック手段とを備えている。
【００１９】
このように構成された与信販売システムにおいては、請求項１の与信販売システムと同じく、商品の受注時のみならず、商品の出荷時においても与信チェックを実施している。この場合、商品の出荷時に採用する与信限度額は、商品の受注時と同様に、取引先の基準与信限度額を補正した与信限度額である。
【００２０】
また請求項３においては、受注時与信チェック手段は、算出された与信限度額が、受注商品の金額にこの時点における当該取引先の売掛残高と受注残高とを加算した金額未満の場合においても、該当商品の出荷時までに該当取引先の入金予定がある場合、操作入力された許可指示に応じて要請された商品を受注するようにしている。
【００２１】
さらに、請求項４においては、出荷時与信チェック手段は、算出された与信限度額が、出荷商品の金額にこの時点における当該取引先の売掛残高と受注残高とを加算した金額未満の場合においても、該当商品に対する入金予定がある場合、操作入力された許可指示に応じて前記要請された商品を出荷するようにしている。
【００２２】
このように、入金予定がある場合に限り、担当者の与信限度額の裁量範囲を拡大することが可能である。
【００２３】
また請求項５は、取引先から各商品を順次受注し、各商品に定められた納期の経過後に各商品を取引先へ順次出荷するとともに、取引先から順不同に入力される各入金額を各商品に対する代金に順次充当する与信販売方法に適用される。
【００２４】
そして、各商品を販売する複数の担当者を複数の権限グループにグループ分けし、取引先に対する基準与信限度額における各権限グループに与えられた与信限度裁量額を与信権限テーブルに設定する設定工程と、取引先からの各商品の受注要請時に、取引先の基準与信限度額を、前記与信権限テーブルから読出したこの受注を扱う担当者の権限グループの与信限度裁量額で補正して当該受注に対する与信限度額を算出する算出工程と、この算出された与信限度額が、受注商品の金額にこの時点における当該取引先の売掛残高と受注残高とを加算した金額を超えるとき、要請された商品を受注する受注時与信チェック工程と、取引先から受注した各商品の出荷要請時に、取引先の基準与信限度額が、出荷商品の金額にこの時点における当該取引先の売掛残高と受注残高を加算した金額を超えるとき、前記要請された商品を出荷する出荷時与信チェック工程とを備えている。
【００２５】
このように構成された与信販売方法においては、さきに説明した請求項１の与信販売システムとほぼ同様の作用効果を奏することが可能である。
【００２６】
また請求項６は、上記与信販売方法において、各商品を販売する複数の担当者を複数の権限グループにグループ分けし、取引先に対する基準与信限度額における各権限グループに与えられた与信限度裁量額を与信権限テーブルに設定する設定工程と、取引先からの各商品の受注要請時に、取引先の基準与信限度額を、与信権限テーブルから読出したこの受注を扱う担当者の権限グループの与信限度裁量額で補正して当該受注に対する与信限度額を算出する算出工程と、この算出された与信限度額が、受注商品の金額にこの時点における当該取引先の売掛残高と受注残高とを加算した金額を超えるとき、要請された商品を受注する受注時与信チェック工程と、取引先から受注した各商品の出荷要請時に、取引先の基準与信限度額を、与信権限テーブルから読出したこの出荷を扱う担当者の権限グループの与信限度裁量額で補正して、当該出荷に対する与信限度額を算出する算出工程と、この算出された与信限度額が、出荷商品の金額にこの時点における当該取引先の売掛残高と受注残高を加算した金額を超えるとき、要請された商品を出荷する出荷時与信チェック工程とを備えている。
【００２７】
このように構成された与信販売方法においては、さきに説明した請求項２の与信販売システムとほぼ同様の作用効果を奏することが可能である。
【００２８】
また請求項７は、上記与信販売方法における受注時与信チェック工程は、算出された与信限度額が、受注商品の金額にこの時点における当該取引先の売掛残高と受注残高とを加算した金額超過の場合においても、該当商品の出荷時までに該当取引先の入金予定がある場合、操作入力された許可指示に応じて要請された商品を受注するようにしている。
【００２９】
このように構成された与信販売方法においては、さきに説明した請求項３の与信販売システムとほぼ同様の作用効果を奏することが可能である。
【００３０】
また請求項８は、取引先から各商品を順次受注し、各商品に定められた納期の経過後に各商品を取引先へ順次出荷するとともに、取引先から順不同に入力される各入金額を各商品に対する代金に順次充当するコンピュータに、下記の各手順を実行させる与信販売プログラムである。
【００３１】
すなわち、各商品を販売する複数の担当者を複数の権限グループにグループ分けし、取引先に対する基準与信限度額における各権限グループに与えられた与信限度裁量額を与信権限テーブルに設定する設定手順と、取引先からの各商品の受注要請時に、取引先の基準与信限度額を、与信権限テーブルから読出したこの受注を扱う担当者の権限グループの与信限度裁量額で補正して当該受注に対する与信限度額を算出する算出手順と、この算出された与信限度額が、受注商品の金額にこの時点における当該取引先の売掛残高と受注残高とを加算した金額を超えるとき、要請された商品を受注する受注時与信チェック手順と、取引先から受注した各商品の出荷要請時に、取引先の基準与信限度額が、出荷商品の金額にこの時点における当該取引先の売掛残高と受注残高を加算した金額を超えるとき、要請された商品を出荷する出荷時与信チェック手順とを実行させる。
【００３２】
このように構成された与信販売プログラムにおいては、さきに説明した請求項１の与信販売システムとほぼ同様の作用効果を奏することが可能である。
【００３３】
また請求項９は、コンピュータに、下記の各手順を実行させる与信販売プログラムである。すなわち、各商品を販売する複数の担当者を複数の権限グループにグループ分けし、前記取引先に対する基準与信限度額における各権限グループに与えられた与信限度裁量額を与信権限テーブルに設定する設定手順と、取引先からの各商品の受注要請時に、取引先の基準与信限度額を、与信権限テーブルから読出したこの受注を扱う担当者の権限グループの与信限度裁量額で補正して当該受注に対する与信限度額を算出する算出手順と、この算出された与信限度額が、受注商品の金額にこの時点における当該取引先の売掛残高と受注残高とを加算した金額を超えるとき、要請された商品を受注する受注時与信チェック手順と、取引先から受注した各商品の出荷要請時に、取引先の基準与信限度額を、与信権限テーブルから読出したこの出荷を扱う担当者の権限グループの与信限度裁量額で補正して、当該出荷に対する与信限度額を算出する算出手順と、この算出された与信限度額が、出荷商品の金額にこの時点における当該取引先の売掛残高と受注残高を加算した金額を超えるとき、要請された商品を出荷する出荷時与信チェック手順とを実行させる。
【００３４】
このように構成された与信販売プログラムにおいては、さきに説明した請求項２の与信販売システムとほぼ同様の作用効果を奏することが可能である。
【００３５】
また請求項１０は、上記与信販売プログラムにおける受注時与信チェック手順は、算出された与信限度額が、受注商品の金額にこの時点における当該取引先の売掛残高と受注残高とを加算した金額未満の場合においても、該当商品の出荷時までに該当取引先の入金予定がある場合、操作入力された許可指示に応じて要請された商品を受注する。
【００３６】
このように構成された与信販売プログラムにおいては、さきに説明した請求項３の与信販売システムとほぼ同様の作用効果を奏することが可能である。
【発明の効果】
【００３７】
本発明によれば、取引先毎に設定された基準与信限度額を大きく外すことなく、かつ受注機会を逃すことなく、さらに、売掛金の安全性を確保できる。
【発明を実施するための最良の形態】
【００３８】
以下、本発明の各実施形態について図面を用いて説明する。
【００３９】
（第１実施形態）
図１は本発明の第１実施形態に係わる与信販売方法が適用され与信販売プログラムにて各種の処理が実施される与信販売システムの概略構成を示すブロック図である。この与信販売システムは、各種商品を小売店等の複数の取引先に販売する製造会社等の販売部署に設置されている。
【００４０】
そして、コンピュータ等の情報処理装置で構成された与信販売システムにおける例えばＨＤＤ等の補助記憶装置内には、商品マスタ１、受注データファイル２、売上データファイル３、与信権限テーブル４、担当者マスタ５、取引先マスタ６が設けられている。さらに、与信販売システム内には、ハード構成部材としてキーボードとマウスからなる入力部７、および表示部８が組込まれている。
【００４１】
また、この与信販売システム内には、アプリケーション・プログラムである与信販売プログラム上に形成された裁量額設定部９、取引先情報設定部１０、受注時与信限度額算出部１１、受注時チェック部１２、受注処理部１３、入金処理部１４、出荷時与信限度額算出部１５、出荷時チェック部１６、売上処理部１７が設けられている。
【００４２】
商品マスタ１内には、図２に示すように、この製造会社が各取引先に販売する各商品の商品名、単価、納期、規格、仕様等が記憶されている。
【００４３】
受注データファイル２内には、商品毎の、各取引先から受注したときの取引先名、受注日、出荷日、数量、金額Ｘ1、支払い条件等の受注データが書込まれる。
【００４４】
売上データファイル３内には、商品毎の、各取引先に出荷したときの取引先名、出荷日、数量、金額Ｘ2、支払い条件等の売上データが書込まれる。
【００４５】
次に、与信権限テーブル４を、図３を用いて説明する。この製造会社等の販売部署に所属する販売を担当する複数の担当者１９は、複数の権限グループ１８にグループ分けされている。この権限グループ１８は、各取引先に対して製造会社が設定した基準与信限度額ＷSに増減する与信限度裁量額ΔＷに対する同一権限が与えられている担当者１９の集団である。
【００４６】
例えば、管理職グループは、部長クラスの熟練した担当者１９で構成され、基準与信限度額ＷSに対する与信限度裁量額ΔＷは、基準与信限度額ＷSの２０％増しである。すなわち基準与信限度額ＷSの２０％増額した与信限度額で受注又は出荷に対する与信チェックを実施することが可能である。
【００４７】
また、課長グループは、課長クラスの熟練した担当者１９で構成され、基準与信限度額ＷSに対する与信限度裁量額ΔＷは、基準与信限度額ＷSの５％増しである。すなわち基準与信限度額ＷSの５％増額した与信限度額で受注又は出荷に対する与信チェックを実施することが可能である。
【００４８】
さらに、営業担当グループは、通常の担当者１９で構成され、基準与信限度額ＷSに対する与信限度裁量額ΔＷは、基準与信限度額ＷSの０％増し、すなわち基準与信限度額ＷSで受注又は出荷に対する与信チェックを実施する必要がある。
【００４９】
また、出荷担当グループは、出荷を担当する担当者で構成され、基準与信限度額ＷSに対する与信限度裁量額ΔＷは、基準与信限度額ＷSの−１０％増し、すなわち基準与信限度額ＷSの１０％減額した与信限度額で出荷に対する与信チェックを実施する必要がある。
【００５０】
担当者マスタ５内には、この製造会社等の販売部署に所属する販売を担当する担当者１９毎に、自己が所属する権限グループ１８と自己に与えられた与信限度裁量額ΔＷとが記憶されている。
【００５１】
次に、取引先マスタ６を図４を用いて説明する。取引先マスタ６には、取引先毎に、該当取引先を特定する、取引先コード、取引先名、代表者、住所等の情報、前述したこの取引先にこの製造会社が設定した基準与信限度額ＷS、現在時点までの取引履歴データが書込まれる。
【００５２】
さらに、取引先マスタ６の各取引先には、現在時点における、入金予定金額Ｒ、受注金額Ｓ、売上金額Ｔ、売掛残高Ｕ、受注残高Ｖが記憶される。したがって、受注（金額Ｘ1）、入金（金額Ｙ）、入金予定、出荷（金額Ｘ2）等が発生する毎に、現在時点における上述した各値が最新の値に更新される。
【００５３】
図５に、同一取引先における３つの商品ａ、ｂ、ｃの受注から出荷までのタイムチャートと、上述した入金予定金額Ｒ、受注金額Ｓ、売上金額Ｔ、売掛残高Ｕ、受注残高Ｖの関係を示す。
【００５４】
金額Ａの商品ａを日付ｔ1で受注して日付ｔ3で出荷する。さらに、金額Ｂの商品ｂを日付ｔ2で受注して日付ｔ6で出荷する。なお、日付ｔ4にて入金（金額Ｄ）があり、さらに、日付ｔ4にて日付ｔ7を指定した入金予定（金額Ｅ）があったとする。
【００５５】
このような状態において、日付ｔ5で、日付ｔ8の出荷予定の新規の金額Ｃの商品ｃを受注する場合を考える。
【００５６】
日付ｔ1で金額Ａの商品ａを受注すると、受注金額Ｓ＝Ａ、受注残高Ｖ＝Ａとなるが、この時点で売上金額Ｔ、売掛残高Ｕはまだ発生していない。日付ｔ2で金額Ｂの商品ｂを追加受注すると、受注金額Ｓ＝Ａ＋Ｂ、受注残高Ｖ＝Ａ＋Ｂとなる。
【００５７】
そして、日付ｔ3で金額Ａの商品ａを出荷すると、売上金額Ｔ＝Ａ、売掛残高Ｕ＝Ａとなり、受注残高Ｖ＝Ａ＋Ｂ−Ａ＝Ｂとなる。さらに、日付ｔ4にて入金（金額Ｄ）があり、日付ｔ7を指定した入金予定（金額Ｅ）があると、売掛残高Ｕ＝Ａ―Ｄとなり、入金予定金額Ｒ＝Ｄとなる。
【００５８】
したがって、日付ｔ5で、日付ｔ8の出荷予定の新規の金額Ｃの商品ｃを受注する場合においては、日付ｔ4にて入金（金額Ｄ）、日付ｔ7を指定した入金予定（金額Ｅ）が登録された状態の売掛残高Ｕ＝Ａ―Ｄ、受注残高Ｖ＝Ｂと新規受注の金額Ｃに基づいて後述する与信チェックを行う。
【００５９】
図１における裁量額設定部９は、この製造会社の販売部署の責任者にて入力部７で操作入力された指示に基づいて、与信権限テーブル４に、各権限グループ１８、所属担当者１９の名、与信限度裁量額ΔＷを設定するとともに、担当者マスタ５に対して各担当者１９の権限グループ１８と与信限度裁量額ΔＷとを設定する。
【００６０】
取引先情報設定部１０は、この製造会社の販売部署の責任者が入力部７で操作入力された指示に基づいて、図４の取引先マスタ６に、各取引先の前述した該当取引先を特定する、取引先コード、取引先名、代表者、住所等の情報、および前述したこの取引先にこの製造会社が設定した基準与信限度額ＷSを設定する。
【００６１】
受注時与信限度額算出部１１は、取引先からの受注を担当した担当者１９の該当取引先に対する与信限度額Ｗを算出する。すなわち、取引先メモリ６から該当取引先の基準与信限度額ＷSを読出し、さらに、担当者マスタ５から該当担当者１９の与信限度裁量額ΔＷを読出して、両者を加算して、今回の受注に関する与信限度額Ｗ＝基準与信限度額ＷS＋与信限度裁量額ΔＷを得る。
【００６２】
受注時チェック部１２は、担当者１９が入力部７を操作して取引先からの商品の受注要請を入力すると、受注商品の金額Ｘ1（＝単価×数量）を商品マスタ１から求めて、さらに、この時点における該当取引先の売掛残高Ｕと受注残高Ｖを取引先マスタ６から読出す。そして、先に算出した該当担当者１９の与信限度額Ｗ（＝ＷS＋ΔＷ）が、受注商品の金額Ｘ1に売掛残高Ｕと受注残高Ｖとを加算した金額（Ｘ1＋Ｕ＋Ｖ）より大きい場合、
Ｗ（＝ＷS＋ΔＷ）＞（Ｘ1＋Ｕ＋Ｖ）
受注を許可する。
【００６３】
受注処理部１３は、受注時チェック部１２で許可された商品に対する実際の受注処理を行う。すなわち、受注データファイル２の対応する商品の領域に、取引先名、受注日、出荷日、数量、金額Ｘ1、支払い条件等の受注データを書込む。さらに、取引先マスタ６の該当取引先の取引履歴データの領域に日付と商品受注を書込み、受注金額Ｓを増額更新（Ｓ＝Ｓ＋Ｘ1）し、受注残高Ｖを増額更新する（V＝Ｖ＋Ｘ1）。
【００６４】
入金処理部１４は、取引先から入金があると、売掛残高Ｕを入金額Ｙで減額更新する（Ｕ＝Ｕ―Ｙ）。なお、入金処理部１４は、日付を指定した入金予定（金額Ｒ）があると、取引先マスタ６の該当取引先の入金予定Ｒに設定する（Ｒ＝Ｅ）。
【００６５】
出荷時与信限度額算出部１５は、受注済みの商品の出荷要請があると、前述した受注時与信限度額算出部１１と同様に、出荷を担当した担当者１９の該当取引先に対する与信限度額Ｗを算出する。すなわち、取引先メモリ６から該当取引先の基準与信限度額ＷSを読出し、さらに、担当者マスタ５から該当担当者１９の与信限度裁量額ΔＷを読出して、両者を加算して、与信限度額Ｗ＝基準与信限度額ＷS＋与信限度裁量額ΔＷを得る。
【００６６】
出荷時チェック部１６は、担当者１９が入力部７を操作して商品の出荷要請を入力すると、出荷商品の金額Ｘ2（＝単価×数量）を商品マスタ１から求めて、さらに、この時点における該当取引先の売掛残高Ｕと受注残高Ｖを取引先マスタ６から読出す。そして、先に算出した該当担当者の与信限度額Ｗ（＝ＷS＋ΔＷ）が、出荷商品の金額Ｘ2に売掛残高Ｕと受注残高Ｖとを加算した金額（Ｘ2＋Ｕ＋Ｖ）より大きい場合、
Ｗ（＝ＷS＋ΔＷ）＞（Ｘ2＋Ｕ＋Ｖ）
出荷を許可する。
【００６７】
売上処理部１７は、出荷時チェック部１６で出荷許可された商品に対する実際の売上処理を行う。すなわち、売上データファイル３の対応する商品の領域に、取引先名、受注日、出荷日、数量、金額Ｘ2、支払い条件等の売上データを書込む。さらに、取引先マスタ６の該当取引先における取引履歴データの領域に日付と商品出荷を書込み、売上金額Ｔを増額更新し（Ｔ＝Ｔ＋Ｘ2）、売掛残高Ｕを増額更新（Ｕ＝Ｕ＋Ｘ2）し、受注残高Ｖを減額更新する（V＝Ｖ―Ｘ2）。
【００６８】
図６、図７は、第１実施形態に係わる与信販売システムの取引処理動作を示す流れ図である。なお、これより前の初期設定業務において、与信権限テーブル４および担当者マスタ５の各データはこの製造会社の販売部署の責任者にて設定済みである。
【００６９】
ステップＳ１において、新規の取引先の情報が入力され、続いて、該当取引先に対する基準与信限度額ＷSが入力されると（ステップＳ２）、取引マスタ６に新規の取引先の各領域を作成する（ステップＳ３）。
【００７０】
担当者１９が入力部７を操作することにて、取引先からの商品の受注要請があると（ステップＳ４）、受注商品の金額Ｘ1（＝単価×数量）を商品マスタ１から求める（ステップＳ５）。次に、取引マスタ６から、該当取引先の基準与信限度額ＷSを読取る（ステップＳ６）。今回の受注を扱った担当者１９の担当者名が入力する（ステップＳ７）と、担当者１９の与信限度裁量額ΔＷを読出す（ステップＳ８）。そして、今回の受注に関する与信限度額Ｗ＝基準与信限度額ＷS＋与信限度裁量額ΔＷを得る（ステップＳ９）。次に、この時点における該当取引先の売掛残高Ｕと受注残高Ｖを取引先マスタ６から読出す（ステップＳ１０）。
【００７１】
そして、該当担当者１９の与信限度額Ｗ（＝ＷS＋ΔＷ）が、受注商品の金額Ｘ1に売掛残高Ｕと受注残高Ｖとを加算した金額（Ｘ1＋Ｕ＋Ｖ）より大きい場合、
Ｗ（＝ＷS＋ΔＷ）＞（Ｘ1＋Ｕ＋Ｖ）
受注を許可する（ステップＳ１１）。
【００７２】
そして、受注データファイル２の対応する商品の領域に、取引先名、受注日、出荷日、数量、金額Ｘ1、支払い条件等の受注データを書込む受注処理を行い（ステップＳ１２）。取引先マスタ６の該当取引先の取引履歴データの領域に日付と商品受注を書込み、受注金額Ｓを増額更新（Ｓ＝Ｓ＋Ｘ1）し、受注残高Ｖを増額更新（V＝Ｖ＋Ｘ1）する（ステップＳ１３）。
【００７３】
なお、ステップＳ１１で、該当担当者１９の与信限度額Ｗ（＝ＷS＋ΔＷ）が、受注商品の金額Ｘ1に売掛残高Ｕと受注残高Ｖとを加算した金額（Ｘ1＋Ｕ＋Ｖ）より小さい場合は、取引先マスタ６の入金予定の欄に、該当受注商品の出荷時以前の日付を指定した入金予定（金額Ｒ）があると（ステップＳ１４）、
Ｗ（＝ＷS＋ΔＷ）＞（Ｘ1＋Ｕ＋Ｖ―Ｒ）
を満たすか否かを判定して、表示部８に判定結果を表示出力して担当者１９の指示待ちとする。なお、入金予定が無い場合も担当者１９の指示待ちとする（ステップＳ１５）。そして、担当者１９が、この取引先については、今回の受注は担当者の与信限度額Ｗを超えているが、諸般の事情から受注を許可すると判断して、許可指示を入力すると（ステップＳ１６）、ステップＳ１２以降の受注処理を行う。担当者１９が許可を与えない場合（ステップＳ１６）、表示部８に受注不可表示を行う（ステップＳ１７）。
【００７４】
図７のステップＳ１８にて、取引先から入金（金額Ｙ）があると、取引先マスタ６の該当取引先の売掛残高Ｕを入金額Ｙで減額更新（Ｕ＝Ｕ―Ｙ）する（ステップＳ１９）。さらに、日付を指定した入金予定（金額Ｒ）があると（ステップＳ２０）、取引先マスタ６の該当取引先の入金予定Ｒに設定（Ｒ＝Ｅ）する（ステップＳ２１）。
【００７５】
担当者１９が入力部７を操作することにて、受注済み商品の出荷要請が入力されると（ステップＳ２２）、取引先マスタ６から該当商品の出荷先の取引先の売掛残高Ｕと受注残高Ｖとを読出す（ステップＳ２３）。さらに、取引先マスタ６から該当取引先の基準与信限度額ＷSを読取る（ステップＳ２４）。
【００７６】
今回の出荷を扱った担当者１９の担当者が入力する（ステップＳ２５）と、担当者マスタ５から担当者１９の与信限度裁量額ΔＷを読出す（ステップＳ２６）。そして、与信限度額Ｗ＝基準与信限度額ＷS＋与信限度裁量額ΔＷを得る（ステップＳ２７）。
【００７７】
そして、該当担当者１９の与信限度額Ｗ（＝ＷS＋ΔＷ）が、出荷商品の金額Ｘ2に売掛残高Ｕと受注残高Ｖとを加算した金額（Ｘ2＋Ｕ＋Ｖ）より大きい場合、
Ｗ（＝ＷS＋ΔＷ）＞（Ｘ2＋Ｕ＋Ｖ）
出荷を許可する（ステップＳ２８）。
【００７８】
そして、取引マスタ６の該当取引先の、売上金額Ｔの増額更新（Ｔ＝Ｔ＋Ｘ2）、売掛金額Ｕの増額更新（Ｕ＝Ｕ＋Ｘ2）、受注残高の減額更新（Ｖ＝Ｖ―Ｘ2）を行う（ステップＳ２９）。さらに、売上データファイル３の対応する商品の領域に、取引先名、受注日、出荷日、数量、金額Ｘ2、支払い条件等の売上データを書込む受注処理を行う（ステップＳ３０）。
【００７９】
なお、ステップＳ２８で、該当担当者１９の与信限度額Ｗ（＝ＷS＋ΔＷ）が、出荷商品の金額Ｘ2に売掛残高Ｕと受注残高Ｖとを加算した金額（Ｘ2＋Ｕ＋Ｖ）より小さい場合は、表示部８に「与信限度額超過」の警告表示を行い（ステップＳ３１）、担当者１９の指示待ちとする。そして、担当者１９が、この取引先については、今回の出荷は担当者１９の与信限度額Ｗを超えているが、諸般の事情から出荷を許可すると判断して、許可指示を入力すると（ステップＳ３２）、ステップＳ２９以降の受注処理を行う。担当者１９が許可を与えない場合（ステップＳ３２）においては、表示部８に出荷不可表示を行う（ステップＳ３３）。
【００８０】
このように構成された第１実施形態の与信販売システムにおいては、各商品を販売する複数の担当者１９は、図３の与信権限テーブル４に示すように、管理職グループ、課長グループ等の複数の権限グループ１８にグループ分けされ、権限グループ１８毎に、取引先に対する基準与信限度額ＷSにおける与信限度裁量額ΔＷが定められている。
【００８１】
したがって、例えば管理職の権限グループ１８に所属する担当者１９は自己の責任において、自己が担当する取引先の与信限度額Ｗを例えば２０％増加して受注ができ、受注機会が増える。
【００８２】
また、受注時及び出荷時の与信チェックにおいて、与信限度額Ｗと、今回商品の金額Ｘ［Ｘ1（受注時）、Ｘ2（出荷時）］と売掛残高Ｕとを加算した金額（受注時Ｕ＋Ｘ1、出荷時Ｕ＋Ｘ2）と比較するのではなく、与信限度額Ｗと、今回商品の金額Ｘ［Ｘ1、Ｘ2］と売掛残高（出荷済みで代金未収の金額）Ｕと受注残高Ｖ（受注済みで未出荷商品の金額）とを加算した金額（Ｘ＋Ｕ＋Ｖ）と比較する。
【００８３】
したがって、商品の受注時点で、前記３つの金額を加算した金額（Ｘ＋Ｕ＋Ｖ）が、与信限度額Ｗを超えていないと、たとえ、今回受注した商品対する出荷より前に、先の商品を出荷した時点においても与信限度額を超えることはない。すなわち、売掛金の安全が確保される。
【００８４】
また、商品の受注時のみならず、商品の出荷時においても与信チェックを実施している。例えば、前述した、図５のタイムチャートにおいては、各商品ａ、ｂ、ｃの受注時ｔ1、ｔ2、ｔ5と各商品ａ、ｂ、ｃの出荷時ｔ3、ｔ6、ｔ8においてそれぞれ与信チェックが実施される。したがって、出荷担当者は売掛残高Ｕが与信限度額Ｗを大幅に超える出荷を停止できる。
【００８５】
この場合、受注時の担当者の権限グループ１８と出荷時の担当者の権限グループ１８とが異なっている場合で、出荷時の担当者の与信限度裁量額ΔＷが小さい場合、出荷時の与信チェックを受注時の与信チェックより厳しいので、受注機会を減少することなく、売掛金の安全を確保できる。
【００８６】
（第２実施形態）
図８、図９は本発明の第２実施形態に係わる与信販売方法が適用され与信販売プログラムにて各種の処理が実施される与信販売システムの取引処理動作を示す流れ図である。なお、与信販売システムの構成は図１に示す第１実施形態とほぼ同じであるので説明を省略する。
【００８７】
この第２実施形態の与信販売システムにおける受注時与信限度額算出部１１は、第１実施形態と同じく、与信限度額Ｗを受注先の基準与信限度額ＷSに受注した担当者１９の与信限度裁量額ΔＷを加算している（Ｗ＝ＷS＋ΔＷ）。しかし、出荷時与信限度額算出部１５は、与信限度額Ｗを取引先マスタ６の商品の出荷先の取引先に対する基準与信限度額ＷSに固定している（Ｗ＝ＷS）。
【００８８】
また、受注時チェック部１２及び出荷時チェック部１６における与信限度額Ｗの管理を厳格にしている。
【００８９】
図８におけるステップＱ１〜ステップＱ１３の各処理は、図６に示す第１実施形態の与信販売システムの取引処理動作を示す流れ図におけるステップＳ１〜ステップＳ１３の各処理と同じであるので、説明を省略する。
【００９０】
ステップＱ１１で、該当担当者１９の与信限度額Ｗ（＝ＷS＋ΔＷ）が、受注商品の金額Ｘ1に売掛残高Ｕと受注残高Ｖとを加算した金額（Ｘ1＋Ｕ＋Ｖ）より小さい場合は、無条件に表示部８に受注不可表示を行う（ステップＱ１４）。
【００９１】
図９のステップＱ１５にて、取引先から入金（金額Ｙ）があると、取引先マスタ６の該当取引先の売掛残高Ｕを入金額Ｙで減額更新（Ｕ＝Ｕ―Ｙ）する（ステップＱ１６）。さらに、日付を指定した入金予定（金額Ｒ）があると（ステップＱ１７）、取引先マスタ６の該当取引先の入金予定Ｒに設定（Ｒ＝Ｅ）する（ステップＳＱ１８）。
【００９２】
担当者１９が入力部７を操作することにて、受注済み商品の出荷要請が入力されると（ステップＱ１９）、取引先マスタ６から該当商品の出荷先の取引先の売掛残高Ｕと受注残高Ｖと基準与信限度額ＷSとを読出す（ステップＱ２０）。
【００９３】
そして、基準与信限度額ＷSが出荷商品の金額Ｘ2に売掛残高Ｕと受注残高Ｖとを加算した金額（Ｘ2＋Ｕ＋Ｖ）より大きい場合、
ＷS＞（Ｘ2＋Ｕ＋Ｖ）
出荷を許可する（ステップＱ２１）。
【００９４】
そして、取引マスタ６の該当取引先の、売上金額Ｔの増額更新（Ｔ＝Ｔ＋Ｘ2）、売掛金額Ｕの増額更新（Ｕ＝Ｕ＋Ｘ2）、受注残高の減額更新（Ｖ＝Ｖ―Ｘ2）を行う（ステップＱ２２）。さらに、売上データファイル３の対応する商品の領域に、取引先名、受注日、出荷日、数量、金額Ｘ2、支払い条件等の売上データを書込む受注処理を行う（ステップＱ２３）。
【００９５】
なお、ステップＱ２１で、該当取引先の基準与信限度額ＷSが、出荷商品の金額Ｘ2に売掛残高Ｕと受注残高Ｖとを加算した金額（Ｘ2＋Ｕ＋Ｖ）より小さい場合は、無条件に表示部８に出荷不可表示を行う（ステップＱ２４）。
【００９６】
このように構成された第２実施形態の与信販売システムにおいては、前述したように、受注時における与信限度額Ｗを受注先の基準与信限度額ＷSに受注した担当者の与信限度裁量額ΔＷを加算して、受注担当者の裁量の範囲を担当者が所属する権限グループに応じて拡大して受注機会を増加している（Ｗ＝ＷS＋ΔＷ）。
【００９７】
一方、出荷される商品の金額Ｘ2が売掛金残高Ｕの増額に直接関係する出荷時における与信限度額Ｗを受注先の基準与信限度額ＷSに設定して（Ｗ＝ＷS）、売掛金の安全を確保している。このように、受注機会を減少することなく、売掛金の安全を確保できる。
【００９８】
また、与信限度額Ｗが、商品の金額Ｘ（Ｘ1又はＸ2）に売掛残高Ｕと受注残高Ｖとを加算した金額（Ｘ＋Ｕ＋Ｖ）より小さい場合は、担当者の裁量を認めないようにしているので、この与信販売システムをより一層厳格に運用できる。
【００９９】
なお、本発明は上述した各実施形態に限定されるものではない。担当者マスタ５に各担当者１９の与信限度裁量額ΔＷを記憶せずに、受注時及び出荷時において与信限度額Ｗを算出するときに、与信権限テーブル４の該当担当者１９の所属する権限グループ１８の与信限度裁量額ΔＷを用いることも可能である。
【０１００】
このように、与信権限テーブル４に記憶された与信限度裁量額ΔＷを採用することによって、与信限度裁量額ΔＷの変更及びメンテナンスの容易化を図ることができる。
【図面の簡単な説明】
【０１０１】
【図１】本発明の第１実施形態に係わる与信販売方法が適用され与信販売プログラムにて各種の処理が実施される与信販売システムの概略構成を示すブロック図。
【図２】同実施形態の与信販売システム内に形成された商品マスタの記憶内容を示す図。
【図３】同実施形態の与信販売システム内に形成された与信権限テーブルの記憶内容を示す図。
【図４】同実施形態の与信販売システム内に形成された取引先マスタの記憶内容を示す図。
【図５】同実施形態の与信販売システムにおける商品の受注から出荷までのタイムチャートと入金予定金額Ｒ、受注金額Ｓ、売上金額Ｔ、売掛残高Ｕ、受注残高Ｖの変遷を示す図。
【図６】同実施形態の与信販売システムの取引処理動作を示す流れ図。
【図７】同じく同実施形態の与信販売システムの取引処理動作を示す流れ図。
【図８】本発明の第２実施形態に係わる与信販売システムの取引処理動作を示す流れ図。
【図９】同じく第２実施形態に係わる与信販売システムの取引処理動作を示す流れ図。
【符号の説明】
【０１０２】
１…商品マスタ、２…受注データファイル、３…売上データファイル、４…与信権限テーブル、５…担当者マスタ、６…取引先マスタ、７…入力部、８…表示部、９…裁量額設定部、１０…取引先情報設定部、１１…受注時与信限度額算出部、１２…受注時チェック部、１３…受注処理部、１４…入金処理部、１５…出荷時与信限度額算出部、１６…出荷時チェック部、１７…売上処理部、１８…権限グループ、１９…担当者
【図１】
2007164361.tif 000003
【図２】
2007164361.tif 000004
【図３】
2007164361.tif 000005
【図４】
2007164361.tif 000006
【図５】
2007164361.tif 000007
【図６】
2007164361.tif 000008
【図７】
2007164361.tif 000009
【図８】
2007164361.tif 000010
【図９】
2007164361.tif 000011